(57)【要約】      （修正有）【課題】ポータブル電子デバイスに適用する保護カバーを提供する。【解決手段】ディスプレー面、背面を備えるポータブル電子デバイスに適用する保護カバー１０ａは、ディスプレー面を覆う前板１００、背面からポータブル電子デバイスを内表面１０２上にホールドするホールド部２００、ホールド部２００の外表面上に配置する位置限定ヒンジ３００、サポート板４００からなる。サポート板４００は位置限定ヒンジ３００により外表面に可動状に接続され、前板１００はホールド部２００或いはサポート板４００に連接し、しかもホールド部２００或いはサポート板４００に相対して折れ曲がり、サポート板４００がホールド部２００に相対して予定旋回角度の旋回を行うと、位置限定ヒンジ３００はサポート板４００とホールド部２００とを予定旋回角度に維持し、こうしてポータブル電子デバイスを設置面上に立たせることができる。【選択図】図４
0003177915.tif 000002
【実用新案登録請求の範囲】
【請求項１】
ポータブル電子デバイスに適用する保護カバーであって、
該ポータブル電子デバイスは、ディスプレー面、及び該ディスプレー面に相対する背面を備え、
該保護カバーは、前板、ホールド部、位置限定ヒンジ、サポート板からなり、
該前板は、該ディスプレー面を覆い、しかも第１の側縁を備え、
該ホールド部は、内表面、該内表面に相対する外表面、及び該前板に隣接する第２の側縁を備え、該ホールド部は、該背面から、該ポータブル電子デバイスを、該内表面上においてホールドし、
該位置限定ヒンジは、該外表面上に配置し、
該サポート板は、第３の側縁、及び該第３の側縁に相対する第４の側縁を備え、
該第３の側縁は、該位置限定ヒンジにより、該外表面に可動状に接続し、しかも該前板は、該第１の側縁と該第２の側縁との連接を通して、該ホールド部に相対して折れ曲がり、或いは該第１の側縁と該第４の側縁との連接を通して、該サポート板に相対して折れ曲がり、
該サポート板が、該ホールド部に相対し、予定旋回角度の旋回を行うと、該位置限定ヒンジは、該サポート板と該ホールド部とを、該予定角度に維持し、これにより該ポータブル電子デバイスは、設置面上に直立したことを特徴とする保護カバー。
【請求項２】
前記ホールド部はさらに、該第２の側縁に相対する第５の側縁、該第２の側縁と該第５の側縁とに連接する第６の側縁、該第６の側縁に相対する第７の側縁、該第２の側縁、該第５の側縁、該第６の側縁、該第７の側縁の間に位置する中央区域を備え、
しかも、該位置限定ヒンジは、該第５の側縁或いは該中央区域に位置し、或いは該第６の側縁から該第７の側縁へと延伸したことを特徴とする請求項１に記載の保護カバー。
【請求項３】
前記ホールド部は、シリコンケース、レザーケース、或いはプラスチックケースであることを特徴とする請求項１に記載の保護カバー。
【請求項４】
前記ホールド部は、該内表面、該外表面、該第２の側縁を備える背面板、及び該内表面上に配置するシリコンケース、レザーケース、プラスチックケース、或いは少なくとも１個の弾力テープ、或いは該背面板周辺の一部上に配置する複数のフックを備えることを特徴とする請求項１に記載の保護カバー。
【請求項５】
前記ホールド部は、背面板、複数のフックを備え、
該背面板は、該内表面、該外表面及び該第２の側縁を備え、
該複数のフックは、該背面板の、該第２の側縁以外の周辺の少なくとも１個の部分上に配置したことを特徴とする請求項１に記載の保護カバー。
【請求項６】
前記各フックはさらに、該サポート板の、該第３の側縁と該第４の側縁以外の周辺の少なくとも１個の部分上に配置したことを特徴とする請求項５に記載の保護カバー。
【請求項７】
前記位置限定ヒンジは、第１の金属片、第２の金属片、少なくとも１個のシャフトからなり、
該第１の金属片は、該外表面に固定し、
該第２の金属片は、該第３の側縁に固定し、
該少なくとも１個のシャフトは、該第１の金属片が該外表面に突出する位置と該第２の金属片が該第１の金属片に接近する位置との間に可動状に接続したことを特徴とする請求項１に記載の保護カバー。
【請求項８】
前記第１の金属片は、第１のメインプレート、第１の折板、第２の折板、少なくとも１個の第１の環状折板、少なくとも１個の第１の連接板からなり、
該第１のメインプレートは、該外表面上に配置し、
該第１の折板は、該内表面上に配置し、
該第２の折板は、該ホールド部を貫通し、しかも該第１のメインプレートと該第１の折板との間に連接し、
該少なくとも１個の第１の環状折板中に、該シャフトは嵌めて設置し、
該少なくとも１個の第１の連接板は、該第１のメインプレートと該第１の環状折板との間に連接したことを特徴とする請求項７に記載の保護カバー。
【請求項９】
前記ホールド部はさらに、該外表面上の第１のくぼみ、該内表面上の第２のくぼみ、及び該内表面から該外表面へと延伸する第１のスリットを備え、
該第１のメインプレートは、該第１のくぼみ内に埋設し、該第１の折板は、該第２のくぼみ内に埋設し、しかも該第２の折板は、該第１のスリット内に埋設することを特徴とする請求項８に記載の保護カバー。
【請求項１０】
前記第２の金属片は、第２のメインプレート、第３の折板、第４の折板、少なくとも１個の第２の環状折板、少なくとも１個の第２の連接板からなり、
該第２のメインプレートは、該サポート板の、該背面或いは該外表面に向かう第１の表面上に配置し、
該第３の折板は、該サポート板の、該第１の表面に相対する第２の表面上に配置し、
該第４の折板は、該サポート板を貫通し、しかも該第２のメインプレートと該第３の折板との間に連接し、
該少なくとも１個の第２の環状折板中に、該シャフトは、嵌めて設置し、
該少なくとも１個の第２の連接板は、該第２のメインプレートと該第２の環状折板との間に連接したことを特徴とする請求項７に記載の保護カバー。
【請求項１１】
前記サポート板はさらに、該第一表面上の第３のくぼみ、該第２表面上の第４のくぼみ、該第１の表面から該第２の表面へと延伸する第２のスリットを備え、
該第２のメインプレートは、該第３のくぼみ内に埋設し、該第３の折板は、該第４のくぼみ内に埋設し、しかも該第４の折板は、該第二スリット内に埋設したことを特徴とする請求項１０に記載の保護カバー。
【請求項１２】
前記位置限定ヒンジは、２個の該シャフトを備え、
該第１の金属片は、２個の該第１の環状折板を備え、
該第２の金属片は、２個の該第２の環状折板を備え、
しかも、該各シャフトは、相互に対応する該各第１の環状折板の内の１個と該各第２の環状折板の内の１個中にそれぞれ嵌めて設置したことを特徴とする請求項７に記載の保護カバー。
【請求項１３】
前記各第１の環状折板はみな、該各第２の環状折板との間、或いはその外に位置することを特徴とする請求項１２に記載の保護カバー。
【請求項１４】
前記シャフトは、ナット及びボルトの組合せであることを特徴とする請求項７に記載の保護カバー。
【請求項１５】
前記第１の金属片は、溶接、嵌合、接着、螺合、リベット接続、或いはその組合せにより、該外表面に固定したことを特徴とする請求項７に記載の保護カバー。
【請求項１６】
前記第２の金属片は、溶接、嵌合、接着、螺合、リベット接続、或いはその組合せにより、該第３の側縁に固定したことを特徴とする請求項７に記載の保護カバー。
【請求項１７】
前記ホールド部はさらに、該内表面上に配置する粘着部を備え、該粘着部は、該背面に接着し、
これにより、該ポータブル電子デバイスを、該内表面上にホールドしたことを特徴とする請求項１に記載の保護カバー。
【請求項１８】
前記ホールド部はさらに、永久磁石を備え、
しかも、該ポータブル電子デバイスはさらに、位置が該永久磁石に対応する別の永久磁石、或いは強磁性材料を備えたことを特徴とする請求項１に記載の保護カバー。
【請求項１９】
前記位置限定ヒンジは、緊密対応構造、或いは定位構造を備えるヒンジであることを特徴とする請求項１に記載の保護カバー。
【請求項２０】
前記位置限定ヒンジは、組込み式ヒンジであることを特徴とする請求項１に記載の保護カバー。
【請求項２１】
前記位置限定ヒンジは、露出式ヒンジであることを特徴とする請求項１に記載の保護カバー。
【考案の詳細な説明】
【技術分野】
【０００１】
本考案は保護カバー(protective sheath)に関し、特にポータブル電子デバイス(portable electronic device)に適用する保護カバーに関する。
【背景技術】
【０００２】
テクノロジーの発展に従い、ＭＰ３、ＭＰ４等のマルチメディアプレーヤー(multimedia player)、携帯電話端末(cell phone)、ＰＤＡ(personal digital assistant)、携帯ゲーム機(hand-held game console)、電子書籍(electronic book、E-book)、タブレットＰＣ(tablet personal computer)、ネットブック(netbook)、ノート型コンピューター(notebook)等のさまざまなポータブル電子デバイスは、現代人の生活に欠かせないものとなっている。
従来のデスクトップＰＣ(desktop PC)に比べ、ポータブル電子デバイスの最大の長所は、携帯に便利だという点である。
このため、近年では、ポータブル電子デバイスを使用するユーザーをいつでもどこでも見かけるようになっている。
【０００３】
一方、上記したポータブル電子デバイスにおいて、通常は、体積が比較的大きいネットブックとノート型コンピューターだけが、相対的に折り畳むことができる２個のボディ(body)上に、キーボード(keyboard)とスクリーン(screen)をそれぞれ設置する。
これにより、スクリーンを設置するボディは、キーボードを設置するボディにより支えられ、直立することができる。
しかも、スクリーンの傾斜角度を調整できるため、使用者はポータブル電子デバイスを、机上等設置面に置き、ビデオを観賞、或いは操作を行うことができる。
反対に、その他のポータブル電子デバイスは通常は、一体型の形状である。
そのため、クレードル(cradle)、或いは他のサポートパーツを使用しなければ、設置面上に立たせることはできない。
【０００４】
しかし、使用者は通常、クレードルを持ち歩くことはなく、適用可能な他のサポートパーツも、どこにでもあるものではない。
このため、必要な場合には、クレードル、或いはサポートパーツを、ポータブル電子デバイスと一緒に携帯しなければならない。
さもなくば、ポータブル電子デバイスを、設置面上に安定的に立たせ、またポータブル電子デバイスの傾斜角度を調整することはできない。
本考案は、従来の保護カバーの上記した欠点に鑑みてなされたものである。
【先行技術文献】
【特許文献】
【０００５】
【特許文献１】特開平１１−３４２０１９号公報
【考案の概要】
【考案が解決しようとする課題】
【０００６】
本考案が解決しようとする課題は、ポータブル電子デバイスを、予定傾斜角度(presetting tilt angle)により、設置面上に安定的に立たせることができる保護カバーを提供することである。
【課題を解決するための手段】
【０００７】
上記課題を解決するため、本考案は下記の保護カバーを提供する。
保護カバーは、ポータブル電子デバイスに適用する保護カバーで、ポータブル電子デバイス、ディスプレー面(display surface)及びディスプレー面に相対する背面(rear surface)を備え、保護カバーは、前板(front plate)、ホールド部(holding component)、位置限定ヒンジ(position limiting hinge)、ポート板(support plate)からなり、該前板により、該ディスプレー面に蓋をし、しかも第１の側縁(side edge)を備え、該ホールド部は、内表面(inner surface)、該内表面に相対する外表面(outer surface)、及び該前板に隣接する第２の側縁を備え、該ホールド部は、該背面から、ポータブル電子デバイスを、内表面上に固定することができる。
【０００８】
該位置限定ヒンジは、外表面上に配置し、該サポート板は、第３の側縁、及び該第３の側縁に相対する第４の側縁を備え、該第３の側縁は、該位置限定ヒンジにより外表面に可動状に接続し、しかも前板は、第１の側縁と第２の側縁との連接により、該ホールド部に相対して折れ曲がり、或いは第１の側縁と第４の側縁との連接により、該サポート板に相対して折れ曲がり、該サポート板が、該ホールド部に相対して、予定旋回角度(presetting pivoting angle)まで旋回すると、該位置限定ヒンジは、該サポート板と該ホールド部とを予定旋回角度に維持し、こうしてポータブル電子デバイスを設置面上に立たせることができる。
【０００９】
本考案の一実施例中において、該ホールド部はさらに、第６の側縁、第７の側縁、及び中央区域(center region)を備え、第５の側縁は第２の側縁に相対し、第６の側縁は第２の側縁と第５の側縁に連接し、第７の側縁は第６の側縁に相対し、中央区域は、第２の側縁、第５の側縁、第６の側縁、第７の側縁の間に位置し、しかも、該位置限定ヒンジは、第５の側縁或いは中央区域に配置し、或いは第６の側縁から第７の側縁へと延伸する。
【００１０】
、
本考案の一実施例中において、該ホールド部は、シリコンケース(silicon case)、レザーケース(leather case)或いはプラスチックケース(plastic case)で、本考案の一実施例中において、該ホールド部は、背面板、及びシリコンケース、レザーケース、プラスチックケース、少なくとも１個の弾力テープ(elastic tape)、複数のフック(hook)、或いは少なくともその内の１個を備え、該背面板は、該内表面、該外表面、該第２の側縁を備え、しかも、該シリコンケース、該レザーケース、該プラスチックケース、或いは該弾力テープは、該内表面上に配置され、該フックは、該背面板の周辺の一部(periphery)上に配置され、最適実施例中では、該フックはさらに、該サポート板の、第３の側縁と第４の側縁を除く周辺の少なくとも一部分上に配置される。
【００１１】
本考案の一実施例中において、該位置限定ヒンジは、第１金属片(metal sheet)、第２の金属片、及び少なくともシャフト(shaft)を備え、該第１の金属片は、該外表面に固定し、該第２の金属片は、該第３の側縁に固定し、しかも該シャフトは、該第１の金属片が外表面に突出する位置と該第２の金属片が該第１の金属片に接近する位置との間に可動状に接続し、最適実施例中では、該第１の金属片は、第１のメインプレート(main plate)、第１の折板(folded plate)、第２の折板、少なくとも第１の環状折板(circular folded plate)、及び少なくとも１個の第１の連接板(connecting plate）により組成し、該第１のメインプレートは、外表面上に配置し、
該第１の折板は、内表面上に配置し、該第１の折板は、ホールド部を貫通し、該第１のメインプレートと該第１の折板との間に連接し、該シャフトは、該第１の環状折板中に嵌めて設置している。
【００１２】
該第１の連接板は、第１のメインプレートと第１の環状折板との間に連接し、ここにおいて、該ホールド部はさらに、外表面上の第１のくぼみ(dent)、内表面上の第２のくぼみ、及び該内表面から該外表面へと延伸する第１のスリット(slit)を備え、該第１のメインプレートは、該第１のくぼみ内に埋設し、該第１の折板は、該第２のくぼみ内に埋設し、しかも該第２の折板は、該第１のスリット内に埋設し、
さらに、該第２の金属片は、第２のメインプレート、第３の折板、第４の折板、少なくとも１個の第２の環状折板、及び少なくとも第２の連接板により組成する。
該第２のメインプレートは、該サポート板の背面或いは外表面に向かう第１の表面上に配置する。
【００１３】
該第３の折板は、該サポート板の第１の表面に相対する第２の表面上に配置し、該第４の折板は、該サポート板を貫通し、第２のメインプレートと第３の折板との間に連接し、該シャフトは、該第２の環状折板中に嵌めて設置し、該第２の連接板は、第２のメインプレートと第２の環状折板との間に連接し、ここにおいて、該ホールド部はさらに、第１の表面上の第３のくぼみ、第２の表面上の第４のくぼみ、及び第１の表面から第２の表面へと延伸する第２のスリットを備える。
【００１４】
該第２のメインプレートは、該第３のくぼみ内に埋設し、該第３の折板は、該第４のくぼみ内に埋設し、第４の折板は該第２のスリット内に埋設し、該位置限定ヒンジは、２個のシャフトを備え、該第１金属片は、２個の第１の環状折板を備え、
該第２金属片は、２個の第２の環状折板を備え、該各シャフトは、相互に対応する該各第１環状折板の内の１個と該各第２の環状折板の内の１個中に、それぞれ嵌めて設置し、しかも、該各第１の環状折板はみな、該各第２の環状折板との間、或いはその外に位置する。
該シャフトは、ナット(nut)及びボルト(bolt)の組合せで、該第１の金属片は、溶接(melt bonding)、嵌合(fastening)、接着(attaching with adhesive)、螺合(screwing)、リベット接続(riveting)、或いはその組合せにより、外表面に固定し、しかも、該第２の金属片も、溶接、嵌合、接着、螺合、リベット接続、或いはその組合せにより、第３の側縁に固定する。
【００１５】
本考案の一実施例中において、該ホールド部はさらに、該内表面上に配置する粘着部(adhesive portion)を備え、該粘着部により背面に接着し、これによりポータブル電子デバイスを、内表面上に固定することができ、本考案の一実施例中において、該ホールド部はさらに、永久磁石(permanent magnet)を備え、しかもポータブル電子デバイスはさらに、該永久磁石に位置が対応する別の永久磁石或いは強磁性材料(ferromagnetic material)を備え、本考案の一実施例中において、該位置限定ヒンジは、緊密対応構造(close fit structure)、或いは定位構造を備えるヒンジで、本考案の一実施例中において、該位置限定ヒンジは、組込み式ヒンジ(embedded hinge)で、本考案の一実施例中において、該位置限定ヒンジは、露出式ヒンジ(exposed hinge)で、該サポート板が、該ホールド部に相対し、予定旋回角度の旋回を行うと、該位置限定ヒンジは、該サポート板と該ホールド部とを予定旋回角度に維持し、こうしてポータブル電子デバイスを設置面上に立たせることができる。
すなわち、本考案の保護カバーは、ポータブル電子デバイスを補助し、設置面上に安定的に立たせることができる他、ポータブル電子デバイスの傾斜角度を安定的に維持することができる。
【考案の効果】
【００１６】
本考案の保護カバーは、ポータブル電子デバイスを補助し、設置面上に安定的に立たせることができる他、ポータブル電子デバイスの傾斜角度を安定的に維持することができる。
【図面の簡単な説明】
【００１７】
【図１】本考案一実施例の保護カバーを、ポータブル電子デバイスに組み合わせる前の立体構造模式図である。
【図２】図１中の保護カバーを、ポータブル電子デバイスに組み合わせた後の立体構造模式図である。
【図３】図２の前視図である。
【図４】図２に示すポータブル電子デバイスが、保護カバーにより立たされた使用状態の立体構造模式図である。
【図５】ポータブル電子デバイスが、本考案の他の実施例の保護カバーにより立たされた使用状態をそれぞれ示す立体構造模式図である。
【図６】ポータブル電子デバイスが、本考案の他の実施例の保護カバーにより立たされた使用状態をそれぞれ示す立体構造模式図である。
【図７】ポータブル電子デバイスが、本考案の他の実施例の保護カバーにより立たされた使用状態をそれぞれ示す立体構造模式図である。
【図８】ポータブル電子デバイスが、本考案の他の実施例の保護カバーにより立たされた使用状態をそれぞれ示す立体構造模式図である。
【図９】本考案別種の実施例の保護カバーを、ポータブル電子デバイスに組み合わせる前の立体構造模式図である。
【図１０】図９中の保護カバーを、ポータブル電子デバイスに組み合わせた後の立体構造模式図である。
【図１１】図９中のホールド部、サポート板と緊密対応構造を備えるシャフトとの間の連接の断面図である。
【図１２】図１０の前視図である。
【図１３】図９中のポータブル電子デバイスが、保護カバーにより立たされた使用状態の前視図である。
【考案を実施するための形態】
【００１８】
以下に図面を参照しながら本考案を実施するための最良の形態について詳細に説明する。
【実施例】
【００１９】
図１は、本考案一実施例の保護カバーを、ポータブル電子デバイスに組み合わせる前の立体構造模式図で、図２は、図１中の保護カバーを、ポータブル電子デバイスに組み合わせた後の立体構造模式図である。
図３は、図２の前視図で、図４は、図２に示すポータブル電子デバイスが、保護カバーにより立たされた使用状態の立体構造模式図である。
【００２０】
図１に示すように、本考案の保護カバー１０ａは、ポータブル電子デバイス２０上に組み合わせることができ、該ポータブル電子デバイス２０は、ディスプレー面２２、該ディスプレー面２２に相対する背面２４、及び該ディスプレー面２２と該背面２４との間に連接する側面２６からなる。
本実施例中では、タブレットＰＣに適用する保護カバー１０ａを例として説明するが、他の表示しない実施例において、保護カバーは、ＰＤＡ、携帯電話端末、或いは電子書籍等サイズの異なるさまざまなポータブル電子デバイスに適用することができる。
【００２１】
続いて、図１、２、３に示すように、保護カバー１０ａは、前板１００、ホールド部２００、位置限定ヒンジ３００、サポート板４００からなる。
該前板１００により、該ディスプレー面２２に蓋をし、該ホールド部２００は、該背面２４から、ポータブル電子デバイス２０をホールドする。
【００２２】
本実施例中において、該ホールド部２００は例えば、背面板２１０、及び該背面板２１０の内表面２１２上に配置するシリコンケース２２０を備える。
このため、該ホールド部２００が、ポータブル電子デバイス２０をホールドすると、該シリコンケース２２０は、ポータブル電子デバイス２０の背面２４全体と側面２６全体を覆い、さらには該ディスプレー面２２の周辺の一部をも覆うことができる。
別に、他の表示しない実施例においては、該内表面２１２上に配置するレザーケース、或いはプラスチックケースにより、シリコンケースに置換することができる。
【００２３】
該プラスチックケースは、一体成型とし、またポータブル電子デバイスの相対する両端から、それぞれポータブル電子デバイスの背面、側面、及びディスプレー面の周辺の一部上に嵌めて設置する２個の殼体から組成することもできる。
或いは、該内表面２１２上に配置する少なくとも１個の弾力テープを使用し、或いは該背面板２１０周辺の一部上に配置する複数のフック２３０により、シリコンケースに置換することもでき、これによりポータブル電子デバイス２０の異なる辺縁、或いは異なる角をそれぞれ嵌合する方式により、ポータブル電子デバイス２０をホールドすることができる。
【００２４】
この他、該ホールド部２００はさらに、該内表面２１２上に配置する粘着部を備える。
該粘着部は、ポータブル電子デバイス２０の背面２４に接着し、これにより該ホールド部２００は、接着の方式により、ポータブル電子デバイス２０を、内表面２１２上にホールドすることができる。
この他、該ホールド部２００は永久磁石を備えることができ、しかもポータブル電子デバイスはさらに、該永久磁石に位置が対応する別の永久磁石、或いは強磁性材料を備えることができ、これにより該ホールド部２００は、磁気吸着の方式により、ポータブル電子デバイスをホールドすることができる。
【００２５】
さらに、該位置限定ヒンジ３００は、該背面板２１０の外表面２１４上に配置し、しかも該サポート板４００の右側縁（説明の便のため、本実施例中では図２に示す方向を基準として上側、下側、左側、右側を定義する）は、該位置限定ヒンジ３００により、該外表面２１４上に可動状に接続される。
別に、該前板１００は、該前板１００の右側縁と該サポート板４００の左側縁との連接により、該サポート板４００に相対して折り曲げることができる。
【００２６】
本実施例中において、該位置限定ヒンジ３００は、露出式ヒンジで、該位置限定ヒンジ３００は、図１〜４に示すように、該背面板２１０と該サポート板４００との間に露出する。しかし、他の表示しない実施例において、該位置限定ヒンジ３００は、組込み式ヒンジとすることができ、該位置限定ヒンジ３００は、該背面板２１０、或いは該サポート板４００内に埋設することもできる。
該位置限定ヒンジ３００は、該背面板２１０の上側縁から、該背面板２１０の下側縁へと延伸し、しかもそれは例えば、緊密対応構造を備えるヒンジで、或いは現在のポータブル電子デバイスが常用する、２個のボディを任意の旋回角度に維持化可能なその他ヒンジである。
【００２７】
このため、先ず、該ホールド部２００を、該位置限定ヒンジ３００を廻り、該サポート板４００に相対し、時計回りに予定旋回角度まで回転させる。続いて、該ホールド部２００と該サポート板４００とを、該前板１００の右側縁を廻り、該前板１００に相対し、反時計回りに回転させる。
これにより、該背面板２１０の下側縁は、図４に示すように、該前板１００の内表面１０２上に接触して支えられる。
この時、該位置限定ヒンジ３００は、該サポート板４００と該ホールド部２００との間の挟角を維持することができるため、ポータブル電子デバイス２０（図１参照）を、設置面上に立たせることができる。言い換えれば、該保護カバー１０ａは、ポータブル電子デバイス２０を補助し、机上等設置面上に安定的に立たせることができるばかりか、ポータブル電子デバイス２０の傾斜角度を安定的に維持することができる。
【００２８】
本考案は、上記した実施例に限定するものではなく、他の表示しない実施例においても、位置限定ヒンジは、定位構造を備えるヒンジとすることができる。
例えば、ホールド部２００を、位置限定ヒンジ３００を廻り、サポート板４００に相対し、時計回りに予定旋回角度まで回転させると、位置限定ヒンジのピン(pin)或いは突起(protrusion)は、位置限定ヒンジの挿入孔(inserting aperture)或いはくぼみ(dent)と相互に係合し、サポート板４００とホールド部２００との間の挟角を維持することができる。
【００２９】
図５〜８は、ポータブル電子デバイスが、本考案の他の実施例の保護カバーにより立たされた使用状態をそれぞれ示す立体構造模式図である。
図５に示すように、本実施例中の保護カバー１０ｂの構造は、図１〜４中に示す保護カバー１０ａの構造と、おおよそ相似している。両者の相違点は、該保護カバー１０ａの位置限定ヒンジ３００は、背面板２１０の上側縁から、背面板２１０の下側縁まで延伸するが、保護カバー１０ｂの位置限定ヒンジ３００は、背面板２１０の上側縁、下側縁、左側縁、右側縁の間の中央区域に配置する点である。
よって、該保護カバー１０ｂのサポート板４００のサイズは、該保護カバー１０ａのサポート板４００のサイズより小さい。
【００３０】
続いて、図６に示すように、本実施例中の保護カバー１０ｃの構造は、図１〜４中に示す保護カバー１０ａの構造とおおよそ相似しているが、両者の相違点は、該背面板２１０の大きさと該位置限定ヒンジ３００の配置方式にある。
より詳細に言えば、該保護カバー１０ａの背面板２１０は、該シリコンケース２２０の背面２４全体を覆い、しかも該位置限定ヒンジ３００は、該背面板２１０の左側縁（説明の便のため、以下の実施例では、図４〜９に示す方向を基準として上側、下側、左側、右側を定義する）から、該背面板２１０の右側縁へと延伸する。
しかし、該保護カバー１０ｃの背面板２１０は、該シリコンケース２２０の背面２４の上半部だけを覆い、しかも該位置限定ヒンジ３００は、該背面板２１０の下側縁に配置する。
【００３１】
このため、該保護カバー１０ａがポータブル電子デバイス（図４では図示なし）を補助し、設置面上に立たせると、該背面板２１０の下側縁は、該前板１００の内表面１０２上に接触して支えられる。
また、該保護カバー１０ｃが、ポータブル電子デバイス（図６では図示なし）を補助し、設置面上に立たせると、該シリコンケース２２０の下側縁は、該前板１００の内表面１０２上に接触して支えられる。
【００３２】
続いて、図７に示すように、本実施例中の保護カバー１０ｄの構造は、図１〜４中に示す保護カバー１０ａの構造とおおよそ相似しているが、両者の相違点は、位置限定ヒンジ３００の配置方式とサポート板４００の大きさにある。
簡単に言えば、該保護カバー１０ａの位置限定ヒンジ３００は、該背面板２１０の上側縁と下側縁との間に配置するが、該保護カバー１０ｄの位置限定ヒンジ３００は、該背面板２１０の上側縁に配置する。
よって、該保護カバー１０ｄのサポート板４００は、該保護カバー１０ａのサポート板４００より大きい。
本実施例中において、該保護カバー１０ｄのサポート板４００と該背面板２１０との大きさは、実質的に相同である。
【００３３】
別に、図８に示すように、本実施例中の保護カバー１０ｅの構造と、図５中に示す保護カバー１０ｂの構造とは、おおよそ相似している。
両者の相違点は、該保護カバー１０ｂの前板１００は、該前板１００右側縁の中間部分と該サポート板４００の下側縁全体との連接により、該サポート板４００に相対して折り曲げることができるが、該保護カバー１０ｅの前板１００は、該前板１００の左側縁全体と該背面板２１０の下側縁全体との連接により、該背面板２１０に相対して折り曲げることができる点である。
【００３４】
このため、該保護カバー１０ｂは、先ず、該背面板２１０は、位置限定ヒンジ３００を廻り、サポート板４００に相対し、時計回りに予定旋回角度まで回転させ、続いて、該背面板２１０と該サポート板４００を、該前板１００の右側縁を廻り、該前板１００に相対し、反時計回り回転させ、こうして該背面板２１０の下側縁は、図５に示すように、該前板１００の内表面１０２上に接触して支えられる。
【００３５】
しかし、該保護カバー１０ｅは、先ず、該サポート板４００を、位置限定ヒンジ３００を廻り、該背面板２１０に相対して反時計回り予定旋回角度まで回転させ、続いて、該前板１００を、該背面板２１０の下側縁を廻り、該背面板２１０に相対して反時計回り回転させる。
こうして、該サポート板４００の下側縁は、図８に示すように、該前板１００の外表面１０４上に接触して支えられる。
【００３６】
別に、図９は、本考案の別種の実施例の保護カバーを、ポータブル電子デバイスに組み合わせる前の立体構造模式図で、図１０は、図９中の保護カバーを、ポータブル電子デバイスに組み合わせた後の立体構造模式図である。
この他、図１１は、図９中のホールド部２００、サポート板４００と緊密対応構造を備えるシャフトとの間の連接の断面図で、図１２は、図１０の前視図である。
しかも、図１３は、図９中のポータブル電子デバイスが、保護カバーにより立たされた使用状態の前視図である。
【００３７】
図９〜１３に示すように、本実施例中の保護カバー１０ｆの構造は、図１中の保護カバー１０ａの構造とおおよそ相似している。
両者の相違点は、ホールド部２００の詳細構造にのみある。
【００３８】
この他、図９と図１１は、本実施例中の保護カバー１０ｆの緊密対応構造を備える位置限定ヒンジ３００の詳細構造を示す。
より詳細に言えば、図９に示すように、ホールド部２００は、背面板２１０、及び複数のフック２３０を備え、該フック２３０は、該背面板２１０の、該サポート板４００に近接する側縁以外の、周辺の一部分上に配置する。
【００３９】
しかも、本実施例中のサポート板４００は、前記背面板２１０と前記前板１００に隣接する側縁以外の周辺の一部分上に、複数のフック４１０を配置する。
このため、該ホールド部２００が、該背面２４から、ポータブル電子デバイス２０を、内表面２１２上においてホールドすると、該背面板２１０と該サポート板４００とはおおよそ一緒に、背面２４全体を覆う。
該フック２３０と該フック４１０は、側面２６の一部分とディスプレー面２２周辺の一部分を覆う。
別に、図１３に示すように、ホールド部２００とポータブル電子デバイス２０は、位置限定ヒンジ３００を廻り、サポート板４００に相対し、時計回りに回転して、フック４１０から離れる。
【００４０】
以下に、位置限定ヒンジの詳細構造について説明する。
図９、１１に示すように、本実施例中の保護カバー１０ｆは、該背面板２１０と該サポート板４００との間に平均に連接する２個の位置限定ヒンジ３００を備え、しかも該各位置限定ヒンジ３００は、第１の金属片３１０、第２の金属片３２０、及び少なくとも１個のシャフト３３０を備える。
【００４１】
本実施例中において、該各位置限定ヒンジ３００は、２個のシャフト３３０を備え、しかも、該各シャフト３３０は、ナットとボルト（図示なし）の組合せにより、緊密対応構造を形成する。
該シャフト３３０が提供する緊密度(tightening)は、ナットとボルトを、回して締め、或いは緩めることで調整することができる。
別に、該各シャフト３３０は、０．４〜４．６  ｋｇｆ−ｃｍのトルク(torque)を提供する。しかも、該第１の金属片３１０と該第２の属片３２０との間に形成する角度の可動範囲は、９０度〜１５度である。
【００４２】
該第１の金属片３１０は、溶接、嵌合、接着、螺合、リベット接続、或いはその組合せにより、外表面２１４に固定する。
しかも、該第２の金属片３２０も、溶接、嵌合、接着、螺合、リベット接続、或いはその組合せにより、サポート板４００の右側縁（以下の実施例中で説明に用いる上側、下側、左側、右側は、図９〜１３に示す方位により定義）に固定する。
【００４３】
この他、該各シャフト３３０はみな、該第１の金属片３１０が外表面２１４に突出する位置と該第２の金属片３２０が該第１の金属片３１０に接近する位置との間に、可動状に接続する。
より詳細に言えば、本実施例中の背面板２１０はさらに、内表面２１２上に形成する第１のくぼみＤ１、外表面２１４上に形成する第２のくぼみＤ２、及び内表面２１２から外表面２１４まで延伸する第１のスリットＳ１を備える。
【００４４】
しかも、本実施例中の第１の金属片３１０は、第１のメインプレートＰ１、第１の折板Ｐ２、第２の折板Ｐ３、２個の第１の環状折板Ｐ４、２個の第１の連接板Ｐ５（図９参照）を備える。
該第１のメインプレートＰ１は、該第１のくぼみＤ１内に埋設し、該第１の折板Ｐ２は、該第２のくぼみＤ２内に埋設し、しかも該第２の折板Ｐ３は、該第１のメインプレートＰ１と該第１の折板Ｐ２との間に連接し、しかも該第１のスリットＳ１内に埋設し、該第２の折板Ｐ３は、該背面板２１０を貫通する。
別に、該第１の連接板Ｐ５は、該第１のメインプレートＰ１の該第２の折板Ｐ３に相対する側縁と該第１の環状折板Ｐ４との間に連接する。
【００４５】
さらに、本実施例中のサポート板４００は、内表面４０２、該内表面４０２に相対する外表面４０４、該内表面４０２上に形成する第３のくぼみＤ３、該外表面４０４上に形成する第４のくぼみＤ４、及び該内表面４０２から該外表面４０４へと延伸する第２のスリットＳ２を備える。
【００４６】
別に、本実施例中の第２の金属片３２０は、第２のメインプレートＰ６、第３の折板Ｐ７、第４の折板Ｐ８、２個の第２の環状折板Ｐ９、及び２個の第２の連接板Ｐ１０（図９参照）を備える。
該第２のメインプレートＰ６は、該第３のくぼみＤ３内に埋設し、該第３の折板Ｐ７は、該第４のくぼみＤ４内に埋設し、しかも該第４の折板Ｐ８は、該第２のメインプレートＰ６と該第３の折板Ｐ７との間に連接し、しかも該第２のスリットＳ２内に埋設し、該第４の折板Ｐ８は、該サポート板４００を貫通する。
別に、第２の連接板Ｐ１０は、該第２のメインプレートＰ６の、該第４の折板Ｐ８に相対する側縁と該第２の環状折板Ｐ９との間に連接し、しかも共に、該各第１の環状折板Ｐ４の外に位置し（図１１、図１３参照）、反対もまた然りである。
【００４７】
この他、該各シャフト３３０は、相互に対応する該各第１の環状折板Ｐ４の内の１個と該各第２の環状折板Ｐ９の内の１個中に、それぞれ嵌めて設置する。
このため、該ホールド部２００と該サポート板４００とは、該位置限定ヒンジ３００を通して、相対して折り畳まれ（図１３参照）と展開される（図１２参照）。
該シャフト３３０が提供する緊密度は、ボルトとナットを回すことで調整できるため、該ホールド部２００は、該位置限定ヒンジ３００が提供するサポートにより、設置面上において安定的に立たせることができる。
【００４８】
別に、図１１に示すように、該背面板２１０と該サポート板４００は、該第１のくぼみＤ１、該第２のくぼみＤ２、該第３のくぼみＤ３、該第４のくぼみＤ４の底面から延伸し、しかも該第１のメインプレートＰ１、該第１の折板Ｐ２、該第２のメインプレートＰ６、該第３の折板Ｐ７を貫通する複数の強化ロッド(enforcing rod)Ｒを備える。
これにより、該第１のメインプレートＰ１、該第１の折板Ｐ２、該第２のメインプレートＰ６、該第３の折板Ｐ７を、該背面板２１０と該サポート板４００上にそれぞれ緊密に固定する。
【００４９】
上記したように、本考案中では、サポート板が、ホールド部２００に相対し、予定旋回角度の旋回を行うと、位置限定ヒンジの緊密対応構造、或いは定位構造は、位置限定ヒンジの回転を制限し、こうしてサポート板とホールド部とは、予定旋回角度を維持し、ポータブル電子デバイスは、設置面上に直立することができる。
このため、本考案の保護カバーは、ポータブル電子デバイスを補助し、設置面上に安定的に立たせることができる他、ポータブル電子デバイスの傾斜角度を安定的に維持することができる。
【００５０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５２】
１０ａ、１０ｂ、１０ｃ、１０ｄ、１０ｅ、１０ｆ  保護カバー
２０  ポータブル電子デバイス
２２  ディスプレー面
２４  背面
２６  側面
１００  前板
１０２、２１２、４０２  内表面
１０４、２１４、４０４  外表面
２００  ホールド部
２１０  背面板
２２０  シリコンケース
２３０、４１０  フック
３００  位置限定ヒンジ
３１０  第１の金属片
３２０  第２の金属片
３３０  シャフト
４００  サポート板
Ｄ１  第１のくぼみ
Ｄ２  第２のくぼみ
Ｄ３  第３のくぼみ
Ｄ５  第４のくぼみ
Ｐ１  第１のメインプレート
Ｐ２  第１の折板
Ｐ３  第２の折板
Ｐ４  第１の環状折板
Ｐ５  第１の連接板
Ｐ６  第２のメインプレート
Ｐ７  第３の折板
Ｐ８  第４の折板
Ｐ９  第２の環状折板
Ｐ１０第２の連接板
Ｒ  強化ロッド
Ｓ１  第１のスリット
Ｓ２  第２のスリット
【図１】
0003177915.tif 000003
【図２】
0003177915.tif 000004
【図３】
0003177915.tif 000005
【図４】
0003177915.tif 000006
【図５】
0003177915.tif 000007
【図６】
0003177915.tif 000008
【図７】
0003177915.tif 000009
【図８】
0003177915.tif 000010
【図９】
0003177915.tif 000011
【図１０】
0003177915.tif 000012
【図１１】
0003177915.tif 000013
【図１２】
0003177915.tif 000014
【図１３】
0003177915.tif 000015